(57)【特許請求の範囲】
【請求項１】
管状主軸と、前記管状主軸を軸方向に囲むドラムとを備え、前記管状主軸とドラムの間に複数のスペーサと通気用の複数の穴を有する主ロータと、
前記管状主軸の周りを回転する、前記ドラムに取り付けられた２つのブレードと、
主軸用の軸受および「Ｃ」型タイミングロータ用の軸受を有する前方および後方サイドディスクであって、前記サイドディスクは主ロータの中心に挿入される軸受とサイドディスクの縁部に挿入されるタイミングロータを有し、ここで前記主ロータは前記前方および後方サイドディスクの軸受に挿入される、サイドディスクと、
主軸の前側に配置される主タイミングギアであって、前記ブレードを自由に回転させるが、前記ブレードの通過後の空間が閉鎖されるような位置となるように前記「Ｃ」型タイミングロータの回転と同期された、主タイミングギアと、を備え、
前記「Ｃ」型タイミングロータは３つあり、
前記「Ｃ」型タイミングロータは燃焼室カバーと主軸のドラムとの間の空間を閉鎖して、前側ディスクおよび後側ディスクとともに閉鎖燃焼室を形成し、
複数の排気口と複数の燃料噴射口およびスパークプラグ孔とを含む３つの燃焼室カバーを有し、前記燃料噴射孔及びスパークプラグ孔は「Ｃ」型タイミングロータで覆われ、
前記ブレードは、「Ｃ」型タイミングロータを通過する間「Ｃ」型タイミングロータと一定の距離を保つ、ことを特徴とする
無圧縮式内燃機関ロータモータ。
【請求項２】
前記管状主軸と前記「Ｃ」型タイミングロータが平衡である、請求項１に記載の無圧縮式内燃機関ロータモータ。
【発明の詳細な説明】
【技術分野】
【０００１】
本発明は、内燃機関に関する。
【背景技術】
【０００２】
現在使用されている内燃機関には問題がある。
【０００３】
現在使用されている内燃機関の設計および動作方法を分析することによって、以下のことが明らかになる。
【０００４】
燃料効率（１馬力当たり）は２０％〜３０％であり、つまり、燃料消費量の７０％〜８０％は浪費されて大気汚染となる。
【０００５】
燃料効率（１馬力当たり）が低い１つ目の原因は、圧縮ストロークが効率損失の３０％〜４０％に関与することにある。
【０００６】
燃料効率（１馬力当たり）が低い２つ目の原因は、クランクシャフトによる回転運動に変換されるピストン上下運動が効率損失の２５％〜３０％に関与することにある。
【０００７】
ピストンエンジンの重量／馬力比は、３〜４ｋｇ／馬力と高い。
【０００８】
重量／馬力比が高い１つ目の原因は、燃料効率（１馬力当たり）が低いことにより、エンジン／馬力が大きくなるということにある。
【０００９】
重量／馬力比が高い２つ目の原因は、エンジン部品のほとんどが鍛鋼および鋳鉄から成るということにある。
【００１０】
製造エネルギー消費量が多い１つ目の原因は、燃料効率（１馬力当たり）が低いことにより、エンジン／馬力大きくなるということにある。
【００１１】
製造エネルギー消費量が多い２つ目の原因は、鍛鋼および鋳鉄部品を製造する際の高温である。
【００１２】
製造エネルギー消費量が多い３つ目の原因は、鍛鋼および鋳鉄部品全ての仕上げ加工である。
【発明の概要】
【発明が解決しようとする課題】
【００１３】
本研究により、上記問題の全てに対処できる設計および方法が得られ、高効率の無圧縮式内燃機関ロータモータを作成する唯一の方法が得られた。
【００１４】
高い燃料効率（１馬力当たり）を有するエンジンは、圧縮ストロークおよびピストン上下運動を排除することによって実現される。
【００１５】
低い重量／馬力比のエンジンは、バルブトレイン、鍛鋼製クランクシャフトおよび全ての鋳鉄製部品を除去することによって実現される。
【００１６】
高トルクエンジンは、ブレードの直径を大きくすることによって実現される。
【００１７】
少ない製造エネルギー消費量は、単純な設計にすること、部品数を減らすこと、およびアルミニウム製にすることで実現される。
【課題を解決するための手段】
【００１８】
本発明の無圧縮式内燃機関ロータモータおよび方法は、
サイドディスク（図８）であって、主ロータ（図１５）の中心に挿入される軸受、およびサイドディスクの縁部の３つのタイミングロータに対して挿入される軸受を有するサイドディスク（図８）と、
管状主軸と、主軸と前方ディスクおよび後方ディスク（図８）の軸受に挿入される２つのブレード（図７の部品番号３５、３６）を有するドラム（図７の部品番号３８）との間に配置される複数のスペーサと、主軸の前側に配置される主タイミングギア（図１７、図１８）とを有する主ロータ（図１５および図１６）と、
前側ディスクと後側ディスクとの間に挿入される３つの「Ｃ」型タイミングロータ（図１１）であって、ブレード（図７の部品番号３５、３６）を自由に回転させるが、燃焼室カバー（図７の部品番号３０）と主軸のドラム（図７の部品番号３８）との間の空間を閉鎖して閉鎖燃焼室を形成するような位置になるように「Ｃ」型タイミングロータの回転を同期させるために前側にタイミングギアが配置される「Ｃ」型タイミングロータ（図１１）とを備える。
【００１９】
本発明の好適な実施形態では、無圧縮式内燃機関ロータモータは、複数の排気口（図７の部品番号３２）と、複数の燃料噴射口およびスパークプラグ孔（図７の部品番号３１）とを含む３つの燃焼室カバー（図７の部品番号３０）を有する。
【００２０】
燃焼室カバーは、燃焼室の一部として「Ｃ」型タイミングロータおよびサイドディスクを覆うために、２つのサイドディスクの上端に配置される（図１７および図１８）。
【発明を実施するための形態】
【００２１】
本発明の好適な実施形態の無圧縮式内燃機関ロータモータおよびその動作方法は、３つの「Ｃ」型タイミングロータ（図７の部品番号３３／Ａ、３３／Ｂ、３３／Ｃ）であって、回転方向が左回りである「Ｃ」型タイミングロータと、３つの燃焼室カバーと、２つのブレード（図７の部品番号３５、３６）を有する主ロータ（図１５および図１６）であって、回転方向が右回りである主ロータとを有する。
【００２２】
ブレード３６が燃焼室（図１の「Ａ」）の点火位置にある（タイミングロータ３３／Ａが燃焼室カバー３０と主ドラム３８との間の空間を閉鎖する）時に、燃料が噴射され点火される。
【００２３】
ブレード３６が燃焼室（図２の「Ａ」）の後方排気口に到達する（排気させると同時に、タイミングロータ３３／Ａが燃焼室（図１の「Ａ」）の後端の前方排気口を開放する位置になる）前は、ブレード３５は点火のために燃焼室（図２の「Ｃ」）の位置になる。
【００２４】
ブレード３５が燃焼室（図３の「Ｃ」）の後方排気口に到達する前は、ブレード３６は点火のために燃焼室（図３の「Ｂ」）の位置になる。
【００２５】
ブレード３６が燃焼室（図４の「Ｂ」）の後方排気口に到達する前は、ブレード３５は点火のために燃焼室（図４の「Ａ」）の位置になる。
【００２６】
ブレード３５が燃焼室（図５の「Ａ」）の後方排気口に到達する前は、ブレード３６は点火のために燃焼室（図５の「Ｃ」）の位置になる。
【００２７】
ブレード３６が燃焼室（図６の「Ｃ」）の後方排気口に到達する前は、ブレード３５は点火のために燃焼室（図１の「Ａ」）の位置になる。
【００２８】
サイクルは、１回転ごとに６回の燃焼を発生させながら継続され、燃焼圧を純粋な高トルクの回転力に変換する。
【００２９】
モータの直径は、任意のサイズとすることができ、タイミングロータ直径対主ロータ直径の比率は、１：１、１：２、１：３、１：４、もしくはそれ以上とすることができる。
【図面の簡単な説明】
【００３０】
【図１】本発明の無圧縮式内燃機関ロータモータの動作方法を示した断面図である。
【図２】本発明の無圧縮式内燃機関ロータモータの動作方法を示した断面図である。
【図３】本発明の無圧縮式内燃機関ロータモータの動作方法を示した断面図である。
【図４】本発明の無圧縮式内燃機関ロータモータの動作方法を示した断面図である。
【図５】本発明の無圧縮式内燃機関ロータモータの動作方法を示した断面図である。
【図６】本発明の無圧縮式内燃機関ロータモータの動作方法を示した断面図である。
【図７】本発明の無圧縮式内燃機関ロータモータのロータの部品３０〜３９およびロータの向きを示した図である。
【図８】本発明の無圧縮式内燃機関ロータモータのサイドディスクの正面図である。
【図１１】本発明の「Ｃ」型タイミングロータの上面図である。
【図１２】本発明の「Ｃ」型タイミングロータの断面図である。
【図１３】本発明の「Ｃ」型タイミングロータの側面図である。
【図１４】本発明の「Ｃ」型タイミングロータの３次元図である。
【図１５】本発明の主ロータの長手方向断面図である。
【図１６】本発明の主ロータの断面図である。
【図１７】本発明のタイミングギアを有するモータの側面図である。
【図１８】本発明のタイミングギアを有するモータの正面図である。
【００３１】
図面のページ番号１／３は、本発明の無圧縮式内燃機関ロータモータの部品全ての垂直断面図を示している。
【先行技術文献】
【特許文献】
【００３２】
【特許文献１】米国特許第３９９６９０３号明細書
【特許文献２】米国特許第８２０２０６６号明細書
【特許文献３】米国特許第１８２９３９１号明細書
【特許文献４】米国特許第１９０４８９２号明細書
【特許文献５】米国特許第２１８２２６９号明細書
【特許文献６】米国特許第２９８８０６５号明細書
【特許文献７】米国特許第３３５９９５４号明細書
【特許文献８】米国特許第１５６８０５１号明細書
【特許文献９】米国特許第３６８８７４９号明細書
【特許文献１０】米国特許第３９９０４０５号明細書
【特許文献１１】米国特許第３９３７１８７号明細書
【図１】
0006416920.tif 000002
【図２】
0006416920.tif 000003
【図３】
0006416920.tif 000004
【図４】
0006416920.tif 000005
【図５】
0006416920.tif 000006
【図６】
0006416920.tif 000007
【図７】
0006416920.tif 000008
【図８】
0006416920.tif 000009
【図１１】
0006416920.tif 000010
【図１２】
0006416920.tif 000011
【図１３】
0006416920.tif 000012
【図１４】
0006416920.tif 000013
【図１５】
0006416920.tif 000014
【図１６】
0006416920.tif 000015
【図１７】
0006416920.tif 000016
【図１８】
0006416920.tif 000017